(57)【特許請求の範囲】
【請求項１】
第１畑で生長したキク科のヨモギ属植物を引き抜く引き抜き工程と、
前記引き抜き工程で引き抜いた前記ヨモギ属植物の茎および地下茎の少なくとも一方を裁断して裁断片を得る裁断工程と、
前記裁断片を第２畑にばら撒くばら撒き工程と、
前記ばら撒き工程でばら撒いた前記裁断片を前記第２畑で発芽させるために土中に鋤き込んで混ぜ合わせる鋤き込み工程とを備え、
前記鋤き込み工程は、耕運機で行う、ヨモギ属植物の栽培方法。
【請求項２】
前記鋤き込み工程は、前記引き抜き工程の完了後の２日以内に行う、請求項１に記載のヨモギ属植物の栽培方法。
【請求項３】
第１畑で生長したキク科のヨモギ属植物を引き抜く引き抜き工程と、
前記引き抜き工程で引き抜いた前記ヨモギ属植物の茎および地下茎の少なくとも一方を裁断して裁断片を得る裁断工程と、
前記裁断片を第２畑にばら撒くばら撒き工程と、
前記ばら撒き工程でばら撒いた前記裁断片を前記第２畑で発芽させるために土中に鋤き込んで混ぜ合わせる鋤き込み工程とを備え、
鋤き込み工程は、前記引き抜き工程の完了後の２日以内に行う、ヨモギ属植物の栽培方法。
【請求項４】
前記ばら撒き工程の前に前記ヨモギ属植物から葉を採取する葉採取工程を備える、請求項１ないし３のいずれか１項に記載のヨモギ属植物の栽培方法。
【請求項５】
前記ヨモギ属植物は、前記第１畑において複数回の収穫が可能であり、
前記引き抜き工程は、最後の収穫時に実行され、
前記葉採取工程は、最後の収穫時に至るまでの他の収穫時に実行される、請求項４に記載のヨモギ属植物の栽培方法。
【請求項６】
前記第２畑は前記第１畑とは異なる、請求項１ないし５のいずれか１項に記載のヨモギ属植物の栽培方法。
【請求項７】
前記引き抜き工程では、前記第１畑の地表面から１０ｃｍ以上に生長した前記ヨモギ属植物を引き抜き、
前記裁断工程では、前記ヨモギ属植物の茎および地下茎の少なくとも一方を３〜１０ｃｍの長さに裁断する、請求項１ないし６のいずれか１項に記載のヨモギ属植物の栽培方法。
【請求項８】
前記ヨモギ属植物はオオヨモギである、請求項１ないし７のいずれか１項に記載のヨモギ属植物の栽培方法。
【発明の詳細な説明】
【技術分野】
【０００１】
本発明は、もぐさや草餅などの材料として用いられるヨモギ属植物の栽培方法に関する。
【背景技術】
【０００２】
従来、キク科のヨモギ属植物を栽培する際には、株分けや挿し木による栽培方法が用いられていた。株分けによる栽培方法は、親株から子株を分けて移植するものである。挿し木による栽培方法は、茎を裁断して挿し穂を作り、挿し穂を土に挿して根付かせるものである。なお、これらの栽培方法を直接記載した先行技術文献は見つからなかった。
【０００３】
しかし、株分けによる栽培方法では、株分け工程や移植工程に人手がかかり、挿し木による栽培方法では、挿し穂を作る工程や挿し穂を土に挿す工程に人手がかかるため、いずれも作業負担が大きく、生産性が低いという問題があった。
【発明の概要】
【０００４】
本発明は、上記問題に対処するためになされたものであり、生産性を向上できるヨモギ属植物の栽培方法を提供することを目的とする。
【０００５】
上記目的を達成するため、本発明に係るヨモギ属植物の栽培方法の特徴は、第１畑で生長したキク科のヨモギ属植物を引き抜く引き抜き工程と、前記引き抜き工程で引き抜いた前記ヨモギ属植物の茎および地下茎の少なくとも一方を裁断して裁断片を得る裁断工程と、前記裁断片を第２畑にばら撒くばら撒き工程とを備えることにある。
【０００６】
この構成によれば、第１畑で引き抜いたヨモギ属植物の茎および地下茎の少なくとも一方を裁断した後、裁断片を第２畑にばら撒くだけでよいので、株分け工程や挿し穂を作る工程は不要であり、作業負担を軽減して生産性を向上できる。なお、ヨモギ属植物が引き抜かれる第１畑と裁断片がばら撒かれる第２畑とは、同じであってもよいし、異なっていてもよい。
【０００７】
本発明の他の特徴は、前記ばら撒き工程でばら撒いた前記裁断片を前記第２畑の土中に鋤き込む鋤き込み工程を備えることにある。
【０００８】
この構成によれば、裁断片を第２畑の土中に鋤き込むようにしているので、裁断片の根付きをよくすることができる。
【０００９】
本発明の他の特徴は、前記鋤き込み工程は、前記引き抜き工程の完了後の２日以内に行うことにある。
【００１０】
この構成では、引き抜き工程の完了後の２日以内に裁断片を第２畑の土中に鋤き込むようにしているので、裁断片が枯れる前に鋤き込むことができ、高い確率で根付かせることができる。
【００１１】
本発明の他の特徴は、前記ばら撒き工程の前に前記ヨモギ属植物から葉を採取する葉採取工程を備えることにある。
【００１２】
この構成によれば、採取した葉をもぐさや草餅などの材料として用いることができる。
【００１３】
本発明の他の特徴は、前記ヨモギ属植物は、前記第１畑において複数回の収穫が可能であり、前記引き抜き工程は、最後の収穫時に実行され、前記葉採取工程は、最後の収穫時に至るまでの他の収穫時に実行されることにある。
【００１４】
この構成によれば、葉採取工程は、最後の収穫時に至るまでの他の収穫時に実行されるので、最後の収穫時には葉採取工程を省略できる。
【００１５】
本発明の他の特徴は、前記第２畑は前記第１畑とは異なることにある。
【００１６】
この構成では、ヨモギ属植物が引き抜かれる第１畑と裁断片がばら撒かれる第２畑とが異なっているので、例えば、第１畑と第２畑とを交互に切り換えて使用することで、地力を回復させながら栽培することが可能であり、収穫量の低下を抑制できる。
【００１７】
本発明の他の特徴は、前記引き抜き工程では、前記第１畑の地表面から１０ｃｍ以上に生長したヨモギ属植物を引き抜き、前記裁断工程では、前記ヨモギ属植物の茎および地下茎の少なくとも一方を３〜１０ｃｍの長さに裁断することにある。
【００１８】
この構成によれば、１０ｃｍ以上に生長したヨモギ属植物の茎および地下茎の少なくとも一方を３〜１０ｃｍの長さに裁断することによって、１本のヨモギ属植物から複数の裁断片を得ることができる。また、裁断片の長さが３〜１０ｃｍであることから、裁断片をばら撒き易い。この場合、より好ましくは、ヨモギ属植物の茎および地下茎の少なくとも一方を３〜５ｃｍの長さに裁断するとよい。
【００１９】
本発明の他の特徴は、前記ヨモギ属植物はオオヨモギであることにある。
【００２０】
この構成は、ヨモギ属植物をオオヨモギに限定したものである。オオヨモギは、ヨモギと比べて草丈も葉も大きくなることからより多く収穫できる。
【図面の簡単な説明】
【００２１】
【図１】本発明の一実施形態に係るヨモギ属植物の栽培方法を示すフロー図である。
【図２】第１畑で生長したヨモギ属植物を示す斜視図である。
【図３】第１畑から引き抜かれたヨモギ属植物を示す正面図である。
【図４】（Ａ）は、ばら撒き工程を示す斜視図、（Ｂ）は、鋤き込み工程を示す斜視図である。
【図５】（Ａ）は、畝状に形成した第１畑の断面図であり、（Ｂ）は、次シーズに畝状に形成した第２畑の断面図である。
【発明を実施するための形態】
【００２２】
以下、本発明に係るヨモギ属植物の栽培方法について図面を参照しながら説明する。
【００２３】
図１は、本発明の一実施形態に係るヨモギ属植物の栽培方法１０を示すフロー図である。図２は、第１畑１２で生長したヨモギ属植物１４を示す斜視図であり、図３は、第１畑１２から引き抜かれたヨモギ属植物１４を示す正面図である。図１に示すヨモギ属植物の栽培方法１０は、図２および図３に示すキク科のヨモギ属植物１４の生産性を高めるためのものである。栽培対象となるヨモギ属植物１４は、ヨモギおよびオオヨモギなどのキク科のヨモギ属に属するいずれの植物であってもよいが、本実施形態では、草丈および葉が大きくなるオオヨモギが用いられている。
【００２４】
図３に示すように、ヨモギ属植物１４は、茎１６と、茎１６に連続する地下茎１８と、葉２０とを有しており、葉２０がもぐさや草餅などの材料となる。ヨモギ属植物１４は、長年生きる多年草であり、また、冬期に茎１６および葉２０が枯れて地下茎１８が生きる宿根草である。本実施形態のヨモギ属植物１４は、第１年目の春（５月頃）、夏（７月頃）および秋（９月頃）、ならびに、第２年目の春（５月頃）、夏（７月頃）および秋（９月頃）に収穫可能である。なお、この収穫時期は、ヨモギ属植物の生育状況によって回数が増減することは当然である。
【００２５】
図１に示すように、ヨモギ属植物の栽培方法１０は、葉採取工程Ｓ１と、引き抜き工程Ｓ２と、裁断工程Ｓ３と、ばら撒き工程Ｓ４と、鋤き込み工程Ｓ５とを備えている。以下には、これらの工程を順に説明する。
【００２６】
図１に示す葉採取工程Ｓ１は、図２に示す第１畑１２で生長したヨモギ属植物１４から主に葉２０を採取する工程である。この場合、第１畑１２は、平面的な畑の一部に細長く直線状に土を盛り上げた所謂畝である。葉採取工程Ｓ１では、第１畑１２の土中に地下茎１８を残して、茎１６および葉２０を刈り取る。上記のようにヨモギ属植物１４は、第１畑１２において複数回の収穫が可能であり、葉採取工程Ｓ１は、最後の収穫時に至るまでの他の収穫時に実行される。
【００２７】
例えば、第２年目の秋（９月頃）が最後の収穫時となる場合には、第１年目の春（５月頃）、夏（７月頃）および秋（９月頃）、ならびに、第２年目の春（５月頃）および夏（７月頃）に合計５回の葉採取工程Ｓ１が実行される。第１年目の秋（９月頃）が最後の収穫時となる場合には、第１年目の春（５月頃）および夏（７月頃）に合計２回の葉採取工程Ｓ１が実行される。葉採取工程Ｓ１で採取された葉２０（図２）は、もぐさや草餅などの材料に加工される。
【００２８】
図１に示す引き抜き工程Ｓ２は、図２に示す第１畑１２で生長したキク科のヨモギ属植物１４を作業者の手で引き抜く工程であり、最後の収穫時に実行される。例えば、第２年目の秋（９月頃）が最後の収穫時となる場合には、その収穫時に引き抜き工程Ｓ２が実行される。第１年目の秋（９月頃）が最後の収穫時となる場合には、その収穫時に引き抜き工程Ｓ２が実行される。なお、本実施形態の引き抜き工程Ｓ２は、作業者の手で行われるが、機械等で行われてもよい。
【００２９】
図１に示すように、本実施形態では、引き抜き工程Ｓ２の前に葉採取工程Ｓ１が実行されるので、引き抜き工程Ｓ２で引き抜かれたヨモギ属植物１４（図３）から葉２０を採取する必要はなく、引き抜き工程Ｓ２を実行するために葉２０が大きく生長するのを待つ必要がない。ただし、１本のヨモギ属植物１４から複数の裁断片２２ａ〜２２ｆを得るためには、第１畑１２の地表面Ｇ１（図２）から１０ｃｍ以上に生長したヨモギ属植物１４を引き抜くことが望ましい。
【００３０】
図１に示す裁断工程Ｓ３は、引き抜き工程Ｓ２で引き抜いたヨモギ属植物１４（図３）の茎１６および地下茎１８の少なくとも一方を裁断して複数の裁断片２２ａ〜２２ｆを得る工程である。本実施形態の裁断工程Ｓ３では、図３に示すように、茎１６および地下茎１８を区別することなく、これらが少なくとも一つ（本実施形態では５つ）の裁断点Ｐ１〜Ｐ５で裁断され、これにより複数（本実施形態では６つ）の裁断片２２ａ〜２２ｆが得られる。各裁断片２２ａ〜２２ｆの長さは、ばら撒き工程Ｓ４における作業性や、鋤き込み工程Ｓ５の完了後の根付き性などを考慮して、３〜１０ｃｍの範囲内にされている。本実施形態では、ヨモギ属植物１４を裁断するための裁断手段として手動式の押切藁切り機が用いられるが、裁断手段の種類は特に限定されるものではなく、例えば、電動式のカッターが用いられてもよい。
【００３１】
図４（Ａ）は、ばら撒き工程を示す斜視図であり、図４（Ｂ）は、鋤き込み工程を示す斜視図である。図１に示すばら撒き工程Ｓ４は、図４（Ａ）に示すように、裁断片２２ａ〜２２ｆを作業者の手で第２畑２４にばら撒く工程である。このばら撒き工程Ｓ４では、裁断片２２ａ〜２２ｆが第２畑２４の地表面Ｇ２にむらなくばら撒かれる。裁断片２２ａ〜２２ｆがばら撒かれる第２畑２４（図４）は、ヨモギ属植物１４が引き抜かれる第１畑１２（図２）とは異なる畑であり、第１畑１２と同様に、平面的な畑の一部に細長く直線状に土を盛り上げた所謂畝である。この第２畑２４は、作業性を高める観点から、第２畑２４は第１畑１２の近く、より具体的には、通路３０を介して隣接して設けられていることが望ましい。本実施形態では、裁断片２２ａ〜２２ｆを作業者の手でばら撒くようにしているが、裁断片２２ａ〜２２ｆをばら撒く方法は特に限定されるものではなく、例えば、機械でばら撒くようにしてもよい。また、ばら撒き工程は、第２畑２４を５ｃｍ〜１０ｃｍ程掘った箇所に行ってもよい。
【００３２】
図１に示す鋤き込み工程Ｓ５は、図４（Ｂ）に示すように、ばら撒き工程Ｓ４でばら撒いた裁断片２２ａ〜２２ｆを耕耘機２６で第２畑２４の土中に鋤き込む工程である。図４（Ｂ）中の白抜き矢印は、耕耘機２６の進行方向を示している。引き抜き工程Ｓ２で引き抜いたヨモギ属植物１４を長時間放置すると、ヨモギ属植物１４が乾燥して芽が出なくなるおそれがある。そのため、鋤き込み工程Ｓ５は、引き抜き工程Ｓ２の完了後の２日以内に行うことが望ましい。本実施形態では、裁断片２２ａ〜２２ｆを耕耘機２６で土中に鋤き込むようにしているが、裁断片２２ａ〜２２ｆを鋤き込む方法は特に限定されるものではなく、例えば、耕耘機２６以外の機械で鋤き込むようにしてもよいし、鍬などを用いて人手で鋤き込むようにしてもよい。また、鋤き込み工程は、ばら撒いた裁断片２２ａ〜２２ｆ上に土を被せる（土をかける）だけでもよい。
【００３３】
本実施形態によれば、上記構成により以下の各効果を奏することができる。すなわち、第１畑１２（図２）で引き抜いたヨモギ属植物１４を裁断し、第２畑２４（図４）に裁断片２２ａ〜２２ｆをばら撒くだけでよいので、人手の作業負担を軽減して生産性を向上できる。
【００３４】
図４（Ｂ）に示すように、第２畑２４にばら撒いた裁断片２２ａ〜２２ｆを土中に鋤き込むようにしているので、裁断片２２ａ〜２２ｆの根付きをよくすることができる。また、ヨモギ属植物１４が引き抜かれる第１畑１２（図２）と裁断片２２ａ〜２２ｆがばら撒かれる第２畑２４（図４）とが異なっているので、例えば、第１畑１２と第２畑２４とを交互に切り換えて使用することで、地力を回復させながら栽培することが可能であり、安定した収穫量を得ることができる。
【００３５】
引き抜き工程では、第１畑１２（図２）の地表面Ｇ１から１０ｃｍ以上に生長したヨモギ属植物１４を引き抜き、裁断工程では、ヨモギ属植物１４（図３）を３〜１０ｃｍの長さに裁断するようにしているので、１本のヨモギ属植物１４から複数の裁断片２２ａ〜２２ｆを得ることができる。また、各裁断片２２ａ〜２２ｆの長さが３〜１０ｃｍの範囲内であることから、各裁断片２２ａ〜２２ｆをばら撒き易い。この場合、各裁断片２２ａ〜２２ｆの長さを３〜５ｃｍの範囲内することでよりばら撒き易くなる。
【００３６】
なお、本発明の実施にあたっては、上記実施形態に限定されず、本発明の目的を逸脱しない限りにおいて種々の変更が可能である。例えば、上記実施形態では、ヨモギ属植物１４が引き抜かれる第１畑１２（図２）と裁断片２２ａ〜２２ｆがばら撒かれる第２畑２４（図４）とが異なっているが、これらは同じであってもよい。例えば、地力（土地が作物を成育させうる能力）を回復させるための他の手段を講じることが可能であれば、第１畑１２と第２畑２４とが同じであっても収穫量の低下を抑制できる。
【００３７】
また、図５（Ａ）に示すように、１つの平面的な畑に畝状の第１畑１２を通路３０を介して複数形成しておき、ヨモギ属植物１４を引き抜いた後、図５（Ｂ）に示すように、第１畑１２を形成していた場所に通路３０を形成するとともに通路３０を形成していた場所に第２畑２４を形成してもよい。これによれば、１つの畑の地力の低下を防ぎながら効率的に栽培することができる。なお、この第１畑１２と第２畑２４との切り替え作業は、毎年行ってもよいが数年に一度、具体的には、４年に一度の頻度で行うとよい。
【００３８】
また、上記実施形態では、第１畑１２および第２畑２４をそれぞれ畝で構成した。しかし、第１畑１２および第２畑２４は、それぞれ平面的な畑で構成してもよいことは当然である。
【００３９】
上記実施形態では、葉採取工程Ｓ１（図１）を最後の収穫時に至るまでの他の収穫時に実行しているが、葉採取工程Ｓ１は、最後の収穫時における裁断工程Ｓ３（図１）と同時に実行してもよい。例えば、裁断工程Ｓ３（図１）で得られた裁断片２２ａ〜２２ｆのうち葉２０を多く含む裁断片２２ｄ〜２２ｆから葉２０を採取してもよい。また、裁断工程Ｓ３（図１）において、裁断点Ｐ４，Ｐ５（図３）での裁断を中止し、裁断点Ｐ３よりも上の部分から葉２０を採取してもよい。
【００４０】
さらに、裁断片２２ｄ〜２２ｆ（図３）を得る目的だけであれば、図１に示す葉採取工程Ｓ１は省略してもよい。
【符号の説明】
【００４１】
Ｓ１…葉採取工程、Ｓ２…引き抜き工程、Ｓ３…裁断工程、Ｓ４…ばら撒き工程、
Ｓ５…鋤き込み工程、１０…ヨモギ属植物の栽培方法、１２…第１畑、
１４…ヨモギ属植物、１６…茎、１８…地下茎、２０…葉、２２ａ〜２２ｆ…裁断片、
２４…第２畑、２６…耕耘機、３０…通路。
【図１】
0006704105.tif 000002
【図２】
0006704105.tif 000003
【図３】
0006704105.tif 000004
【図４】
0006704105.tif 000005
【図５】
0006704105.tif 000006